(57)【要約】【課題】レンズの駆動源から得られる駆動力を可撓性の表示装置の巻き取り及び引き出しに用いる。【解決手段】ロッド４０−１ａの先端部分は、伝達用ギア４１−１がギア１２２ｂ及び駆動用ギア１５ｃと噛合する位置Ｐ１に向かう方向Ｚ１に付勢されている。ロッド４０−２ａの先端部分は、伝達用ギア４１−２がギア１２２ｂ及びレンズ部１４の撮像レンズ１１８又はズームレンズ１２に回転力を伝達するギア１４ａと噛合する位置Ｐ２に近づく方向Ｚ３に付勢されている。ＣＰＵ１１２は、プランジャ４０−１のロッド４０−１ａ、プランジャ４０−２のロッド４０−２ａの伸張／収縮を、交互に行うよう制御することで、噛合位置Ｐ１又はＰ２での噛合を選択的に行い、モータ１２２の回転力を、巻取／繰出機構１５又はレンズ部１４のいずれか一方に伝達する。【選択図】  図８
2006270915.tif 000002
【特許請求の範囲】
【請求項１】
被写体の画像を撮像する撮像部と、
前記画像を表示する可撓性の表示装置と、
前記表示装置を本体内に巻回又は本体外に繰り出す巻回／繰出機構と、
光学機構系を駆動する駆動機構と、
モータからの駆動力を前記駆動機構及び前記巻回／繰出機構の双方又はいずれか一方に伝達する１又は複数の動力伝達機構と、
を備える撮像装置。
【請求項２】
前記動力伝達機構は撮像装置の電源がオンにされたことに応じて前記モータからの駆動力を前記巻回／繰出機構に伝達する請求項１に記載の撮像装置。
【請求項３】
前記動力伝達機構は撮像装置の電源がオフにされたことに応じて前記モータからの駆動力を前記巻回／繰出機構に伝達する請求項１に記載の撮像装置。
【請求項４】
前記モータと前記巻回／繰出機構とが連結する第１の連結位置に第１の動力伝達機構を移動させる第１プランジャと、
前記モータと前記駆動機構とが連結する第２の連結位置に第２の動力伝達機構を移動させる第２プランジャと、
をさらに備える請求項１〜３のいずれかに記載の撮像装置。
【請求項５】
前記モータと前記巻回／繰出機構とが連結する第１の連結位置又は前記モータと前記駆動機構とが連結する第２の連結位置へ前記動力伝達機構を案内するガイド溝と、
前記第１の連結位置又は前記第２の連結位置に前記動力伝達機構を移動させるプランジャと、
をさらに備える請求項１〜３のいずれかに記載の撮像装置。
【請求項６】
前記光学機構系は沈胴又は出胴するレンズ鏡胴を含む請求項１〜５のいずれかに記載の撮像装置。
【請求項７】
前記光学機構系が目標動作量に達するまでの残動作量及び前記表示装置が目標動作量に達するまでの残動作量を算出する動作量算出部と、
前記動作量算出部の算出した前記光学機構系の残動作量と前記表示装置の残動作量を比較し、いずれの残動作量が大きいかを判断する判断部と、
をさらに備え、
前記動力伝達機構は、前記判断部が前記光学機構系の残動作量の方が大きいと判断した場合は、前記光学機構系の残動作量が前記表示装置の目標動作量に一致するまで前記モータからの駆動力を前記駆動機構に伝達し、かつ前記光学機構系の残動作量が前記表示装置の目標動作量に一致すると、前記表示装置の累積動作量が目標動作量に到達するまで前記モータからの駆動力を前記駆動機構及び前記巻回／繰出機構に伝達し、前記判断部が前記表示装置の残動作量の方が大きいと判断した場合は、前記表示装置の残動作量が前記光学機構系の目標動作量に一致するまで前記モータからの駆動力を前記巻回／繰出機構に伝達し、かつ前記表示装置の残動作量が前記光学機構系の目標動作量に一致すると、前記光学機構系の累積動作量が目標動作量に到達するまで前記モータからの駆動力を前記駆動機構及び前記巻回／繰出機構に伝達する請求項１に記載の撮像装置。
【請求項８】
前記光学機構系が目標動作量に達するまでの残動作量及び前記表示装置が目標動作量に達するまでの残動作量を算出する動作量算出部と、
前記動作量算出部の算出した前記光学機構系の残動作量と前記表示装置の残動作量のうち、いずれの残動作量が存在するかを判断する判断部と、
をさらに備え、
前記動力伝達機構は、前記光学機構系の累積動作量及び前記表示装置の累積動作量が前記光学機構系の目標動作量又は前記表示装置の目標動作量のいずれか小さい方に到達するまで前記モータからの駆動力を前記駆動機構及び前記巻回／繰出機構に伝達し、その結果、前記判断部が前記光学機構系の残動作量が存在すると判断した場合は、前記光学機構系の累積動作量が目標動作量に到達するまで前記モータからの駆動力を前記駆動機構に伝達し、前記判断部が前記表示装置の残動作量が存在すると判断した場合は、前記表示装置の累積動作量が目標動作量に到達するまで前記モータからの駆動力を前記巻回／繰出機構に伝達する請求項１に記載の撮像装置。
【請求項９】
前記表示装置の目標動作量は予め規定された画像のアスペクト比に対応した量であり、前記光学機構系の目標動作量は前記光学機構系を撮像装置本体内から所定の撮影可能位置に繰り出した状態に対応した量である請求項７又は８に記載の撮像装置。
【請求項１０】
前記動作量算出部は撮影モードが設定されたときに前記光学機構系の残動作量及び前記表示装置の残動作量を算出する請求項９に記載の撮像装置。
【請求項１１】
前記表示装置の目標動作量は前記表示装置を撮像装置本体内に完全に収納した状態に対応した量であり、前記光学機構系の目標動作量は前記光学機構系を撮像装置本体内に完全に収納した状態に対応した量である請求項７又は８に記載の撮像装置。
【請求項１２】
前記動作量算出部は電源スイッチがオフにされたときに前記光学機構系の残動作量及び前記表示装置の残動作量を算出する請求項１１に記載の撮像装置。
【発明の詳細な説明】
【技術分野】
【０００１】
本発明は撮像装置に係り、特に可撓性の画像表示装置をカメラ本体に巻き取ることができる撮像装置に関する。
【背景技術】
【０００２】
従来、可撓性の表示画面を巻き取ってカメラ本体に収納しておき、必要に応じて表示画面を本体から繰り出す技術がある。特許文献１のデジタルカメラは、撮影レンズを保護するレンズカバーをカメラ前面部で開閉移動可能に設けると共に、レンズカバーの上端近傍に連結杆を突出配置する。カメラ本体内に渦巻ばねで付勢された巻芯に巻き取られるように可撓シート状の有機ＥＬ表示部材を格納配置し、ＥＬ表示部材の一端を連結杆に結合し、カメラ使用時にレンズカバーの開放露出位置への移動に連動させて、連結杆を介してＥＬ表示部材をカメラ背面部の露出配置部に引き出すように構成する。
【０００３】
一方、従来、カメラでの部品の配置スペースの関係上、レンズ鏡胴やフィルム巻回などの動力源を単一にするための技術が様々開発されている。特許文献２のカメラでは、モータから第１の切換機構を介して駆動力がフィルム給送機構部、レンズ鏡胴駆動機構部、フィルム巻戻し機構部に選択的に切り換えられて伝達される。フィルム給送機構部が駆動中、レンズ鏡胴駆動機構部はフィルー状態にあり、この間の移動がセンサで検知される。移動しておれば、制御部によって、ズーム格納位置に近いリセット位置に移動するように制御される。
【特許文献１】特開２００３−３０９７４４号公報
【特許文献２】特開２０００−３３０１６９号公報
【発明の開示】
【発明が解決しようとする課題】
【０００４】
特許文献１の技術では、レンズカバーを開かないとＥＬ表示部材を露出することができないが、デジタルカメラには、撮像レンズのピント調節、ズームレンズのテレ／ワイド端への移動などを駆動するモータが備えられていることが通常であり、この駆動力をＥＬ表示部材の引き出し／巻き取りに用いることができれば便宜である。
【０００５】
このモータの駆動力をＥＬ表示部材の引き出し／巻き取り機構に伝達する機構として特許文献２のような選択的な切換機構を用いることが考えられる。カメラの起動時はカメラ鏡胴の出胴と表示部材の繰り出しなどの初期動作、シャットダウン時はカメラ鏡胴の沈胴と表示部材の巻取りなどの終了動作を迅速に完了する必要があるが、特許文献２の技術では、一方の動作終了が検知されてから動力伝達の切り替えが行われるため、時間的ロスが大きい。
【０００６】
本発明はこのような問題点に鑑みてなされたもので、レンズの駆動源から得られる駆動力を可撓性の表示装置の巻き取り及び引き出しの機構およびその他の機構に同時にあるいは異時に、任意に選択して伝達できるようにすることを目的とする。
【課題を解決するための手段】
【０００７】
上記課題を解決するため、本発明の撮像装置は、被写体の画像を撮像する撮像部と、画像を表示する可撓性の表示装置と、表示装置を本体内に巻回又は本体外に繰り出す巻回／繰出機構と、光学機構系を駆動する駆動機構と、モータからの駆動力を駆動機構又は巻回／繰出機構の双方又はいずれか一方に伝達する切替機構と、を備える。
【０００８】
この撮像装置によると、モータの駆動力を光学機構系およびまたは巻回／繰出機構に対し、選択的伝達することができる。しかも、モータは単一で済むため、配置スペースの節約による小型化の実現、部品点数の減少、製造コストの減少というメリットがある。
【０００９】
なお、光学機構系とは、ズームレンズ、アイリス、フォーカス等を含む。また、撮像装置が沈胴又は出胴するレンズ鏡胴を有する沈胴式カメラであれば、このレンズ鏡胴も光学機構系に含まれる。
【００１０】
切替機構は撮像装置の電源がオンにされたことに応じてモータからの駆動力を巻回／繰出機構に伝達してもよい。
【００１１】
こうすることで、電源オンに応じて表示装置を本体外に繰り出すことができる。
【００１２】
切替機構は撮像装置の電源がオフにされたことに応じてモータからの駆動力を巻回／繰出機構に伝達してもよい。
【００１３】
こうすることで、電源オフに応じて表示装置を本体内に巻回することができる。
【００１４】
この撮像装置は、モータと巻回／繰出機構とが連結する第１の連結位置に切替機構を移
動させる第１プランジャと、モータと駆動機構とが連結する第２の連結位置に切替機構を移動させる第２プランジャと、をさらに備えてもよい。
【００１５】
低コストかつ簡易な構成であるプランジャにより切替機構を移動させることができる。
【００１６】
この撮像装置は、モータと巻回／繰出機構とが連結する第１の連結位置又はモータと駆動機構とが連結する第２の連結位置へ切替機構を案内するガイド溝と、第１の連結位置又は第２の連結位置に切替機構を移動させるプランジャと、をさらに備えてもよい。
【００１７】
１つのプランジャにより切替機構を移動させることもできる。
【００１８】
本発明ではさらに、光学機構系が目標動作量に達するまでの残動作量及び表示装置が目標動作量に達するまでの残動作量を算出する動作量算出部と、動作量算出部の算出した光学機構系の残動作量と表示装置の残動作量を比較し、いずれの残動作量が大きいかを判断する判断部と、をさらに撮像装置に設ける。
【００１９】
かつ、動力伝達機構は、判断部が光学機構系の残動作量の方が大きいと判断した場合は、光学機構系の残動作量が表示装置の目標動作量に一致するまでモータからの駆動力を駆動機構に伝達し、かつ光学機構系の残動作量が表示装置の目標動作量に一致すると、表示装置の累積動作量が目標動作量に到達するまでモータからの駆動力を駆動機構及び巻回／繰出機構に伝達し、判断部が表示装置の残動作量の方が大きいと判断した場合は、表示装置の残動作量が光学機構系の目標動作量に一致するまでモータからの駆動力を巻回／繰出機構に伝達し、かつ表示装置の残動作量が光学機構系の目標動作量に一致すると、光学機構系の累積動作量が目標動作量に到達するまでモータからの駆動力を駆動機構及び巻回／繰出機構に伝達する。
【００２０】
光学機構系と表示装置の双方に同時に動力を伝達すると、双方が一挙に駆動するから、それぞれを片方ずつ駆動させるよりも目標とする動作を達成するまでの時間を短縮できてよいのであるが、両方の機構の目標動作量が一致するとは限らない。そのため、ここでは、双方の目標動作量への残動作量を算出し、多い方の残動作量が他方の残動作量と合致するまで、その機構を駆動させ、その後、両者を同時に駆動する。こうすることで２つの機構を同時に目標量だけ正確に駆動させることができる。
【００２１】
あるいは、光学機構系が目標動作量に達するまでの残動作量及び表示装置が目標動作量に達するまでの残動作量を算出する動作量算出部と、動作量算出部の算出した光学機構系の残動作量と表示装置の残動作量のうち、いずれの残動作量が存在するかを判断する判断部と、をさらに設け、動力伝達機構は、光学機構系の累積動作量及び表示装置の累積動作量が光学機構系の目標動作量又は表示装置の目標動作量のいずれか小さい方に到達するまでモータからの駆動力を駆動機構及び巻回／繰出機構に伝達し、その結果、判断部が光学機構系の残動作量が存在すると判断した場合は、光学機構系の累積動作量が目標動作量に到達するまでモータからの駆動力を駆動機構に伝達し、判断部が表示装置の残動作量が存在すると判断した場合は、表示装置の累積動作量が目標動作量に到達するまでモータからの駆動力を巻回／繰出機構に伝達するようにしてもよい。
【００２２】
ここでは、まず２つの機構の両方を、残動作量が少ない方の機構に合わせて同時に駆動し、それでも他方の機構の残動作量が存在すれば、その機構だけを駆動する。このようにしても、２つの機構を同時に目標量だけ正確に駆動させることができる。
【００２３】
表示装置の目標動作量の一例としては、予め規定された画像のアスペクト比に対応した量であり、光学機構系の目標動作量の一例としては、光学機構系を撮像装置本体内から所定の撮影可能位置に繰り出した状態に対応した量である。
【００２４】
動作量算出部は撮影モードが設定されたときに光学機構系の残動作量及び表示装置の残動作量を算出するとよい。
【００２５】
表示装置の目標動作量の一例としては、表示装置を撮像装置本体内に完全に収納した状態に対応した量であり、光学機構系の目標動作量の一例としては、光学機構系を撮像装置本体内に完全に収納した状態に対応した量である。
【００２６】
動作量算出部は電源スイッチがオフにされたときに光学機構系の残動作量及び表示装置の残動作量を算出するとよい。
【発明の効果】
【００２７】
この撮像装置によると、モータの駆動力を巻回／繰出機構と光学機構系に同時にあるいは片方ずつ伝達することができる。
【発明を実施するための最良の形態】
【００２８】
以下、添付した図面を参照し本発明の好ましい実施の形態を説明する。
【００２９】
＜第１実施形態＞
図１は、本発明の好ましい実施形態に係るカメラ１０の外観斜視図である。このカメラ１０は、筐体であるカメラ本体１１から前方へ突出したレンズ鏡胴であるレンズ部１４を備えており、不使用時にはレンズ部１４がカメラ本体１１内に沈胴されるよう構成された沈胴式カメラである。
【００３０】
カメラ１０の背面には、ファインダー５０及びモニタ６９が設けられ、操作部１５７として、シャッターボタン８０、電源スイッチ８２、モード切替スイッチ８４、アスペクト比切替スイッチ８５が設けられている。ファインダー５０は、電子ビューファインダーで構成されるが、このファインダー５０を光学式ファインダーに置換する態様も可能である。
【００３１】
モニタ６９は、撮影時に画角確認用の電子ファインダーとして使用できるとともに、撮影した画像のプレビュー画やメモリカード等の外部記録装置から読み出した再生画像等を表示する表示手段である。更にモニタ６９には、撮影可能枚数（コマ数）や再生コマ番号の表示、マクロモード表示、記録画質（クオリティー）表示、画素数表示等の情報を表示することができる。撮影者はファインダー５０又はモニタ６９に映し出される映像（スルー画像）を見て画角を調整することができる。モニタ６９は、有機ＥＬディスプレイ（organic electroluminescence display）などの可撓性の表示装置で構成されており、長尺状の形状を有している。
【００３２】
図２は、レンズ部１４を本体１１に収納した状態のカメラ１０の外観斜視図である。レンズ部１４は、電源スイッチ８２がオフに切り替えられることに応じて本体１１内に沈胴されて収納される。また、電源スイッチ８２がオフに切り替えられると、可撓性のモニタ６９は、本体１１内に設けられた後述する巻取／繰出機構１５により、本体１１に開口されたスリット１１ａから本体１１内に巻回されて収納される。このように、電源スイッチ８２がオフに切り替えられることに応じてレンズ部１４及びモニタ６９が本体１１内に収納し、レンズ部１４及びモニタ６９を保護する。
【００３３】
電源スイッチ８２がオフからオンに切り替えられると、モニタ６９は、収納された状態から本体１１の開口であるスリット１１ａから繰り出される。繰り出されたモニタは、６９本体１１の表面に設けられた凹状のモニタガイド１１ｂ上を摺動し、映像の表示面Ｆが露出する（図１を参照）。電源スイッチ８２がオフからオンに切り替えられると、レンズ部１４も本体１１から出胴する。
【００３４】
図３は、巻取／繰出機構１５の斜視図である。巻取／繰出機構１５は、長尺状のモニタ６９の幅と略同一の幅を有し、その端部表面には円周方向に沿って略等間隔Ｌで突起状の凸部１５ａが設けられたスプロケットである。巻取／繰出機構１５の円筒中心を挿通する回転軸１５ｂには、駆動ギア１５ｃが取り付けられており、後述する動力伝達機構１４２のギアと駆動ギア１５ｃとが噛合して機械的に連結し、回動力の伝達を受け、これにより回転軸１５ｂが回転してモニタ６９の巻き取り／繰り出しを行う。
【００３５】
図４は、モニタ６９の斜視図である。モニタ６９の先端部ＢＤにはリーダ６８が貼付されている。リーダ６８の剛性はモニタ６９よりも高く、巻取／繰出機構１５による回転力がリーダ６８を介してモニタ６９に伝達されることでモニタ６９が巻き取られるか繰り出される。リーダ６８の長さは、巻取／繰出機構１５の外周長さに相当し、モニタ６９が巻取／繰出機構１５と直接接触して損傷するのを防ぐ。
【００３６】
モニタ６９及びリーダ６８の長軸方向に沿った両端部には細帯状の支持体６７が設けられている。支持体６７がリーダ６８に貼着されている第１部分６７−１には、略等間隔Ｌで孔状の凹部６７ａが設けられている。支持体６７がモニタ６９に貼着されている第２部分６７−２には凸部等は設けられていないが、モニタ６９の巻取／繰出に特に必要ある場合は設けてもよい。
【００３７】
図５は、モニタ６９が巻取／繰出機構１５に巻回される状態を示す斜視図である。巻取／繰出機構１５が図示Ｘ１方向に回転すると、支持体６７の凹部６７ａに巻取／繰出機構１５の凸部１５ａが嵌合することでリーダ６８に巻回力が伝達され、モニタ６９が巻取／繰出機構１５に巻き取られる。一方、巻取／繰出機構１５が図示Ｘ２方向に回転すると、巻取／繰出機構１５に巻回されたリーダ６８及びモニタ６９に弛みが生じる。さらに巻取／繰出機構１５が図示Ｘ２方向に回転すると、支持体６７の剛性により生じる回転モーメントによってモニタ６９に対し図示Ｙ方向へ繰出力が加わり、モニタ６９が図示Ｙ方向に繰り出される。
【００３８】
なお、モニタ６９の巻回により生じたカールに、逆カールを生じさせる張力、反発力、弾性力その他の力を加えてカールを除去するカール除去機構を設けておき、カール除去機構によってモニタ６９のカールを除去しつつモニタ６９をスリット１１ａから繰り出すようにしてもよい。このように、モニタ６９のカール除去と繰り出しとを連動させることで、繰り出し時に撓んだモニタ６９がガイド６３と接触して損傷するのを防げる。
【００３９】
図６は、図１のデジタルカメラ１０のＡ１−Ａ２に沿った断面図である。カメラ本体１１内部には、モニタ６９の巻き取り／繰り出しを行う巻取／繰出機構１５が設けられており、巻取／繰出機構１５のＸ２方向への回転により、モニタ６９がカメラ本体１１の背面Ｙ方向に繰り出されるか、Ｘ１方向への回転により、カメラ本体１１内に巻き取られて収納される。
【００４０】
ただし、モニタ６９を本体１１内に収納したり本体１１内から繰り出すためには、必ずしも巻取／繰出機構１５に巻き付ける必然性はなく、その他の方式によっても可能である。例えば図７に示すように、モニタ６９を本体１１内に撓ませて格納してもよい。
【００４１】
図８はデジタルカメラ１０の機能ブロック図である。同図において、中央処理装置（ＣＰＵ）１１２は、シャッターボタン８０、電源スイッチ８２、モード切替スイッチ８４、アスペクト比切替スイッチ８５や、十字キー、メニュー／実行ボタン、キャンセル／戻るボタン、表示ボタン、シフトボタン、表示切換ボタン、拡大表示ボタン、並びにＡＥロックの指示を入力するＡＥ固定ボタン等からなる操作部１５７からの入力に基づいてデジタルカメラ１０内の各回路を統括制御する。
【００４２】
カメラ１０は、インターネットなどのネットワークあるいはＵＳＢポートなどの各種通
信手段と有線又は無線接続し、画像やプログラムなどの各種データの送受信を行う通信部１５６を備えている。
【００４３】
いま、モード切替スイッチ８４によって撮影モードが設定されると、ＣＰＵ１１２は、動画（スルー画）をモニタ６９に表示させ、撮影画角を確認可能にする。即ち、レンズ部１４を通過した被写体光は、撮像素子（ＣＣＤ）１２７の受光面上に結像する。ＣＣＤ１２７は、受光面に結像された被写体光をその光量に応じた量の信号電荷に変換する。このようにして蓄積された信号電荷は、ＣＰＵ１１２の指令に従いタイミングジェネレータ１２１から与えられる駆動パルスに基づいて信号電荷に応じた電圧信号（画像信号）として順次読み出される。
【００４４】
ＣＣＤ１２７から出力された信号はアナログ処理部（ＣＤＳ／ＡＭＰ）１２３に送られ、ここで画素ごとのＲ，Ｇ，Ｂ信号がサンプリングホールド（相関二重サンプリング処理）され、増幅された後、Ａ／Ｄ変換器１２４に加えられる。Ａ／Ｄ変換器１２４によってデジタル信号に変換された点順次のＲ，Ｇ，Ｂ信号は、画像入力コントローラ１２６を介してメモリ（ＳＤＲＡＭ）１２８に記憶される。尚、メモリ１２８は、画像データの一時記憶領域として利用されるとともに、プログラムの展開領域及びＣＰＵ１１２の演算作業用領域として利用される。
【００４５】
画像信号処理回路１３０は、メモリ１２８に記憶されたＲ，Ｇ，Ｂ信号をＣＰＵ１１２の指令に従って処理する。即ち、画像信号処理回路１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１２からのコマンドに従ってメモリ１２８を活用しながら所定の信号処理を行う。
【００４６】
画像信号処理回路１３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路１３０で処理されたＹＣ信号はＶＲＡＭ１３２に格納される。
【００４７】
撮影画像をモニタ６９にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換してモニタ６９に出力する。
【００４８】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号がモニタ６９に供給されることにより、撮像中の映像がリアルタイムにモニタ６９に表示される。ユーザは、モニタ６９に表示される映像（スルー）によって撮影画角を確認できる。
【００４９】
十字キーの上キーでズームアップ又は下キーでズームダウンの操作が行われると、ＣＰＵ１１２は、当該操作に応じてモータドライバ１２０を制御し、モータ１２２を駆動させる。モータ１２２はＤＣモータが用いられ、モータドライバ１２０からモータ１２２に印加する電圧の極性を変えることにより、ズームレンズ１２をテレ方向又はワイド方向に駆動する。モータ１２２の回転動力は、動力伝達機構１４２を介してレンズ部１４に伝達され、レンズ部１４がカメラ本体１１内に沈胴し又はカメラ本体１１内から出胴することで、ズームレンズ１２がテレ方向又はワイド方向に移動して焦点距離が変更される。
【００５０】
ここで、シャッターボタン８０が半押しされると、ＡＥ及びＡＦ処理が開始される。即ち、ＣＣＤ１２７から出力された画像信号はＡ／Ｄ変換後に画像入力コントローラ１２６を介してＡＦ検出回路１３６並びにＡＥ／ＡＷＢ検出回路１３８に入力される。
【００５１】
ＡＥ／ＡＷＢ検出回路１３８は、１画面を複数のエリア（例えば、１６×１６）に分割し、分割エリアごとにＲＧＢ信号を積算する回路を含み、その積算値をＣＰＵ１１２に提供する。ＣＰＵ１１２は、ＡＥ／ＡＷＢ検出回路１３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１２はタイミングジェネレータ１２１を介してＣＣＤ１２７の電子シャッタを制御するとともに、モータ１２２の動力を伝達する動力伝達機構１４２を介して絞り１１６を制御して適正な露光量を得る。
【００５２】
また、ＡＥ／ＡＷＢ検出回路１３８は、自動ホワイトバランス調整時には、分割エリアごとにＲＧＢ信号の色別の平均積算値を算出し、その算出結果をＣＰＵ１１２に提供する。ＣＰＵ１１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００５３】
また、ＡＦ制御は、例えば画像信号のＧ信号の高周波成分が極大になるようにレンズ部１４の撮像レンズ１１８を移動させるコントラストＡＦが適用される。即ち、ＡＦ検出回路１３６は、Ｇ信号の高周波成分のみを通過させるハイパスフィルタ、絶対値化処理部、モニタ６９の表示画面内（例えば、画面中央部）に予め設定されているフォーカス対象エリア内の信号を切り出すＡＦエリア抽出部、及びＡＦエリア内の絶対値データを積算する積算部から構成される。
【００５４】
ＡＦ検出回路１３６で求めた積算値のデータはＣＰＵ１１２に通知される。ＣＰＵ１１２は、モータドライバ１２０と動力伝達機構１４２を制御して撮影レンズ１１８を移動させながら、複数のＡＦ検出ポイントで焦点評価値（ＡＦ評価値）を演算し、評価値が極大となるレンズ位置を合焦位置として決定する。そして、求めた合焦位置に撮影レンズを移動させるようにモータドライバ１４２を制御する。尚、ＡＦ評価値の演算はＧ信号を利用する態様に限らず、輝度信号（Ｙ信号）を利用してもよい。
【００５５】
上記ＡＥ／ＡＦ処理が行われ、シャッターボタン８０が全押しされることによって記録用の撮影動作がスタートする。Ｓ２オンに応動して取得された画像データは画像信号処理回路１３０において輝度／色差信号（Ｙ／Ｃ信号）に変換され、ガンマ補正等の所定の処理が施された後、メモリ１２８に格納される。
【００５６】
メモリ１２８に格納されたＹ／Ｃ信号は、圧縮伸長処理回路１４４によって所定のフォーマットに従って圧縮された後、メディアコントローラ１４６を介して記憶媒体４０にExif（Exchangeable Image File Format）ファイルとして記録される。画像はExifファイルのデータ部分に記録され、撮影条件などの付帯情報はExifファイルのヘッダ部分に設けられたタグに記録される。
【００５７】
カメラ１０にはアスペクト比切替スイッチ８５が設けられており、シャッターボタン８
０の全押し待機中に通常撮影モードとパノラマ撮影モードとを切り替えて撮影を行なうことができる。アスペクト比切替スイッチ８５により通常撮影モードに切り替えられてシャッターボタン８０が全押しされると、フルサイズの画像（アスペクト比１．５）を記録する。一方、アスペクト比切替スイッチ８５によりパノラマ撮影モードに切り替えられてシャッターボタン８０が全押しされると、フルサイズの画像の上下の所定部分を遮光したパノラマサイズの画像（アスペクト比３．０）を記録する。アスペクト比切替スイッチ８５で相互に切り替え可能なアスペクト比は、上記のようなフルサイズやパノラマサイズに限らず、その他のアスペクト比であってもよい。
【００５８】
モード切替スイッチ８４により再生モードが選択されると、記憶媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のカラー複合映像信号を作成し、これをモニタ６９に出力する。これにより、モニタ６９には記憶媒体４０に記録されている最終コマのコマ画像が表示される。
【００５９】
その後、順コマ送りスイッチ（図示せず）が押されると、順方向にコマ送りされ、逆コマ送りスイッチ（図示せず）が押されると、逆方向にコマ送りされる。そして、コマ送りされたコマ位置の画像ファイルが記憶媒体４０から読み出され、上記と同様にしてコマ画像がモニタ６９に再生される。尚、最終コマのコマ画像が表示されている状態で順方向にコマ送りされると、記憶媒体４０に記録されている１コマ目の画像ファイルが読み出され、１コマ目のコマ画像がモニタ６９に再生される。
【００６０】
カメラ１０の各部への電源供給は主要電源１６４により行われる。残容量検知部１６５は、主要電源１６４の電源電圧の測定等により残容量を検知し、主要電源１６４の残容量が所定の閾値を下回ると、バックアップ用電源１６６による電源供給に切り替える。バックアップ用電源１６６は、ストロボ等の高負荷には電源供給せず、省電力で動作するＣＰＵ１１２やＳＲＡＭ１６７等に電源供給し、必要な情報のバックアップをする。
【００６１】
モータ１２２の回転動力は、動力伝達機構１４２を介してレンズ部１４や巻取／繰出機構１５に伝達される。巻取／繰出機構１５によるレンズ部１４の繰出量であるレンズ繰出量、モニタ６９の本体１１外部への繰出量であるモニタ繰出量は、ＣＰＵ１１２によってそれぞれ決定される。ＣＰＵ１１２がモータドライバ１２０及び動力伝達機構１４２を制御し、決定した繰出量（以下それぞれレンズ目標繰出量、モニタ目標繰出量という）だけ巻取／繰出機構１５がモニタ６９を本体１１外部へ繰り出すようモータ１２２を回転駆動させる。説明の簡略のため、レンズ目標繰出量およびモニタ目標繰出量の単位は、モータ１２２の回転軸１２２ａの回転数で表されるものとする。レンズ目標繰出量に相当する回転数とモニタ目標繰出量に相当する回転数は、同じ場合もありうるし異なる場合もありうる。
【００６２】
図９は動力伝達機構１４２周辺の構造の一例を詳細に示す。モータ１２２の回転軸１２２ａにはギア１２２ｂが取付けられている。動力伝達機構１４２は、１対の伝達／解除機構１４２−１及び１４２−２から構成されている。
【００６３】
伝達／解除機構１４２−１は、主としてプランジャ４０−１及び伝達ギア４１−１から構成されている。プランジャ４０−１は、ロッド４０−１ａ及びコイルバネ４０−１ｂを有している。ロッド４０−１ａの先端部分は、伝達用ギア４１−１に取り付けられており、コイルバネ４０−１ｂにより、伝達用ギア４１−１がギア１２２ｂ及び駆動用ギア１５ｃと噛合する位置Ｐ１に向かう方向Ｚ１に付勢されている。プランジャ４０−１は後述するＣＰＵ１１２からの制御信号に基づいて、ロッド４０−１ａを伸張又は収縮させる。
【００６４】
図１０に示すように、ロッド４０−１ａがコイルバネ４０−１ｂの付勢により伸張されると、伝達用ギア４１−１はモータ１２２のギア１２２ｂ及び巻取／繰出機構１５の駆動用ギア１５ｃとの噛合位置Ｐ１まで移動して静止する。
【００６５】
プランジャ４０−１は、自己保持型ソレノイドで構成されている。プランジャ４０−１は、ＣＰＵ１１２からの制御信号に基づいて、ロッド４０−１ａを収縮する方向に励磁するよう通電する。これによりロッド４０−１ａが収縮し、伝達用ギア４１−１がギア１２２ｂ及び駆動用ギア１５ｃとの噛合位置Ｐ１から離れる方向（以下「Ｚ２方向」という）に移動し、第１噛合位置Ｐ１での噛合が解除される。プランジャ４０−１は自己保持型ソレノイドであるので、永久磁石の力でロッド４０−１ａが収縮した状態（すなわち噛合が解除された状態）で自己保持される。
【００６６】
再び図９を参照すると、伝達／解除機構１４２−２は、主としてプランジャ４０−２及び伝達ギア４１−２から構成されている。伝達／解除機構１４２−２の構成は、伝達／解除機構１４２−１と同様である。即ち、プランジャ４０−２は、ロッド４０−２ａ及びコイルバネ４０−２ｂを有している。ロッド４０−２ａの先端部分は、伝達用ギア４１−２に取り付けられており、コイルバネ４０−２ｂにより、伝達用ギア４１−２がギア１２２ｂ及びレンズ部１４の撮像レンズ１１８又はズームレンズ１２に回転力を伝達するギア１４ａと噛合する位置Ｐ２に近づく方向Ｚ３に付勢されている。プランジャ４０−２は後述するＣＰＵ１１２からの制御信号に基づいて、ロッド４０−２ａを伸張又は収縮させる。
【００６７】
図１１に示すように、ロッド４０−２ａがコイルバネ４０−２ｂの付勢により伸張されると、伝達用ギア４１−２は噛合位置Ｐ２まで移動して静止する。
【００６８】
プランジャ４０−２は、自己保持型ソレノイドで構成されている。プランジャ４０−２は、ＣＰＵ１１２からの制御信号に基づいて、ロッド４０−２ａを収縮する方向に励磁するよう通電する。これによりロッド４０−２ａが収縮し、伝達用ギア４１−２が噛合位置Ｐ２から離れる方向Ｚ４に移動し、噛合位置Ｐ２での噛合が解除される。プランジャ４０−２は自己保持型ソレノイドであるので、永久磁石の力でロッド４０−２ａが収縮した状態（すなわち噛合が解除された状態）で自己保持される。
【００６９】
ＣＰＵ１１２は、プランジャ４０−１のロッド４０−１ａ、プランジャ４０−２のロッド４０−２ａの伸張／収縮を、交互に、異時に、あるいは同時に行うよう制御することで、噛合位置Ｐ１および／又はＰ２での噛合を選択的に行い、モータ１２２の回転力を、巻取／繰出機構１５およびレンズ部１４の双方またはいずれか一方に伝達する。
【００７０】
図１２は伝達用ギア４１−１が噛合位置Ｐ１でモータギア１２２ｂと噛合しかつ伝達用ギア４１−２が噛合位置Ｐ２でモータギア１２２ｂと噛合している状態を示す。この状態では、モータギア１２２ｂの回転力がギア１４ａおよび駆動用ギア１５ｃの双方に同時に伝達され、モニタ６９の巻回とレンズ部１４の出胴／沈胴を同時に行える。
【００７１】
ＣＰＵ１１２がロッド４０−１ａを伸張しかつロッド４０−２ａを収縮する制御信号を出力する動作をモニタ駆動モードという。ロッド４０−２ａを伸張しかつロッド４０−１ａを収縮にする制御信号を出力する動作をレンズ部駆動モードという。ＣＰＵ１１２がロッド４０−１ａを伸張しかつロッド４０−２ａを伸張する制御信号を出力する動作をモニタ・レンズ同時駆動モードという。ＣＰＵ１１２がロッド４０−１ａを収縮しかつロッド４０−２ａを収縮する制御信号を出力する動作を非駆動モードという。
【００７２】
図１３は各駆動モードとロッド４０−１ａ、４０−２ａの伸張／収縮との対応を示す表である。ＣＰＵ１１２がモニタ駆動モードで動作するとモータ１２２の回転力が巻取／繰出機構１５に伝達される。ＣＰＵ１１２がレンズ部駆動モードで動作するとモータ１２２の回転力がレンズ部１４に伝達される。ＣＰＵ１１２がモニタ・レンズ同時駆動モードで動作するとモータ１２２の回転力がレンズ部１４および巻取／繰出機構１５に伝達される。
【００７３】
動力を一方にのみ選択的に伝達する機構に限っていえば、動力伝達機構１４２の構成は上記に限らない。例えば、図１４に示すような構成にすることもできる。図１４の動力伝達機構１４２は、カメラ本体１１に取り付けられたアーム６０、アーム６０の一方の先端６０ｂに回転自在に取り付けられたギア４１−１、アーム６０の他方の先端に設けられた楕円状の孔６０ｃ内を移動自在かつ回動自在に取り付けられた支点６０ｄ、支点６０ｄにロッド４１−１ａの先端が回動自在に取付けられたプランジャ４１−１を備える。プランジャ４１−１の詳細構造は既述の通りである。アーム６０の一方の先端６０ｂの可動範囲は、本体１１に設けられたＶ字形のガイド溝６１によって規制されており、第１の噛合位置Ｐ１はガイド溝６１のＶ字の一端、第２の噛合位置Ｐ２はガイド溝６１のＶ字の他端の位置に一致する。
【００７４】
図１５に示すように、ロッド４１−１が収縮すると、支点６０ｄを中心に時計回りＲ１に回転モーメントが加わり、アーム６０が回動する。このアーム６０の回転によってアーム６０の長軸方向に遠心力が生じるため、支点６０ｄが孔６０ｃの範囲内で支点６０ｄを中心とする遠心方向に移動する。これにより、アーム６０がガイド溝６１に沿って第１噛合位置Ｐ１まで伸張し、ギア４１−１が噛合位置Ｐ１まで移動する。
【００７５】
一方、図１６に示すように、ロッド４１−１が伸張すると、支点６０ｄを中心に反時計回りＲ２に回転モーメントが加わり、アーム６０が回動する。このアーム６０の回転によってアーム６０の長軸方向に遠心力が生じるため、支点６０ｄが孔６０ｃの範囲内で支点６０ｄを中心とする遠心方向に移動する。これにより、アーム６０がガイド溝６１に沿って第２噛合位置Ｐ２まで伸張し、ギア４１−１が噛合位置Ｐ２まで移動する。
【００７６】
ＣＰＵ１１２は、プランジャ４０−１のロッド４０−１ａの伸張／収縮を交互に行うよう制御することで、噛合位置Ｐ１又はＰ２でのギア４１−１の噛合を選択的に行い、モータ１２２の回転力を、巻取／繰出機構１５又はレンズ部１４のいずれか一方に伝達する。
【００７７】
図１４の構成は、図９の構成よりもギアの部品点数が少なくなり、プランジャの設置点数も１つで済むから、プランジャによる電力消費が半減する。
【００７８】
なお、図示しないが、モータ１２２の回転軸１２２ａには白黒パターンの貼付された円盤状のロータリーエンコーダが取り付けられている。モータ１２２の回転によるロータリーエンコーダの白黒模様の切り替わりを図示しないフォトインタラプタによって検出することでＣＰＵ１１２が回転軸１２２ａの合計回転角度を算出し、これに基づいて現在のモニタ６９の繰出量（以下現在モニタ繰出量という）およびレンズ部１４の繰出量（以下現在レンズ繰出量という）を算出する。
【００７９】
ＣＰＵ１１２の目標繰出量はＥＥＰＲＯＭ１３３に記憶されている。好ましくは、モード切替スイッチ８４により設定される撮影モードに対応する第１の目標繰出量又は再生モードに対応した第２の目標繰出量を記憶させておく。
【００８０】
モード切替スイッチ８４から撮影モードが設定された場合、ＣＰＵ１１２は巻取／繰出機構１５がモニタ６９を第１の目標繰出量だけ繰り出すようモータ１２２を回転駆動させるようモータドライバ１２０を制御する。第１の目標繰出量は、スルー画像を表示させるのに適したモニタ６９の面積である。
【００８１】
モード切替スイッチ８４により再生モードが設定された場合、ＣＰＵ１１２は巻取／繰出機構１５がモニタ６９を第２の目標繰出量だけ繰り出すようモータ１２２を回転駆動させるようモータドライバ１２０を制御する。第２の目標繰出量は、撮影済みの画像やその縮小画像（サムネイル画像）を表示するのに適したモニタ６９の面積である。
【００８２】
また、好ましくは、アスペクト比切替スイッチ８５により設定される画像のアスペクト比に対応する目標繰出量をＥＥＰＲＯＭ１３３に記憶させておく。通常撮影モードのアスペクト比１．５に対応する目標繰出量は、本体１１外部に露出したモニタ６９のアスペクト比が１：１．５となる。一方、パノラマ撮影モードのアスペクト比３．０に対応する目標繰出量は、本体１１外部に露出したモニタ６９のアスペクト比が１：３．０となる。アスペクト比切替スイッチ８５により通常撮影モード又はパノラマ撮影モードが設定されると、モニタ６９のアスペクト比が設定された撮影モードのアスペクト比に適合するように繰り出される。このため、モニタ６９一杯にスルー画像を映し出すことができる。
【００８３】
電源スイッチ８２がオンにされたとき、ＣＰＵ１１２は巻取／繰出機構１５がモニタ６９を予めＥＥＰＲＯＭ１３３に記憶されたデフォルトの目標繰出量だけ繰り出すようモータ１２２を回転駆動させるようにしてもよい。
【００８４】
電源スイッチ８２がオンにされると、レンズ部１４はカメラ本体１１に出胴させる動作も行うが、レンズ部１４の出胴とモニタ６９の繰り出しは同時に行ってもよいし、いずれか一方を先に行ってもよい。
【００８５】
例えば、電源スイッチ８２がオンにされると、ＣＰＵ１１２はまずモニタ駆動モードで動作してギア１２２ｂの回転力を駆動ギア１５ｃに伝達させる。モニタ６９の繰り出しが完了すると、ＣＰＵ１１２はレンズ部駆動モードで動作してギア１２２ｂの回転力をギア１４ａに伝達させ、レンズ部１４の出胴を行う。レンズ部駆動モードを先、モニタ駆動モードを後で動作させれば、レンズ部１４の出胴が先に、モニタ６９の繰り出しが後になる。
【００８６】
あるいは、電源スイッチ８２がオンにされると、ＣＰＵ１１２はモニタ・レンズ同時駆動モードで動作してギア１２２ｂの回転力をギア１４ａおよび駆動ギア１５ｃに同時に伝達させる。これにより、モニタ６９の繰り出しとレンズ部１４の出胴を同時に行える。
【００８７】
また、電源スイッチ８２をオフにする際、レンズ部１４の沈胴とモニタ６９の巻き取りが行われるが、レンズ部１４の沈胴とモニタ６９の巻き取りは同時に行ってもよいし、いずれか一方を先に行ってもよい。
【００８８】
例えば、電源スイッチ８２がオフにされると、ＣＰＵ１１２はまずモニタ駆動モードで動作してギア１２２ｂの回転力を駆動ギア１５ｃに伝達させる。モニタ６９の巻き取りが完了すると、ＣＰＵ１１２はレンズ部駆動モードで動作してギア１２２ｂの回転力をギア１４ａに伝達させ、レンズ部１４の沈胴を行う。レンズ部駆動モードを先、モニタ駆動モードを後で動作させれば、レンズ部１４の沈胴が先に、モニタ６９の巻き取りが後になる。
【００８９】
あるいは、電源スイッチ８２がオフにされると、ＣＰＵ１１２はモニタ・レンズ同時駆動モードで動作してギア１２２ｂの回転力をギア１４ａおよび駆動ギア１５ｃに同時に伝達させる。これにより、モニタ６９の巻き取りとレンズ部１４の沈胴を同時に行える。
【００９０】
ギア１４ａによって回転力を伝達する先は、撮像レンズ１１８又はズームレンズ１２に限らず、アイリス、フォーカスなどのその他の光学機構系も含む。光学機構系は、撮像素子に対して垂直にレンズが配列された構成でもよいし、撮影レンズの第一成分内に高精度プリズムを配して光を90度曲げる屈曲光学ユニットで構成してもよい。さらに、カメラ１０は、レンズ部１４がカメラ本体１１内に沈胴されるよう構成された沈胴式カメラでなくてもよく、この場合はギア１４ａによって回転力をレンズ部１４に伝達する必要はなく、その他の光学系機構に伝達すれば足りる。
【００９１】
以下、撮影モード設定時または再生モード設定時のカメラ１０の動作を説明する。
【００９２】
図１７はモード切替スイッチ８４によって撮影モードが設定された場合の動作の流れの一例を示すフローチャートである。上述したが、レンズ目標繰出量に相当する回転数とモニタ目標繰出量に相当する回転数は、同じ場合もありうるし異なる場合もありうる。モニタ・レンズ同時駆動モードでは、モニタ６９の巻回とレンズ部１４の出胴／沈胴が同時に行われるため、モニタ６９またはレンズ部１４いずれか一方の機構への回転数の伝達が目標値に対して過剰になったり不足したりする場合が考えられる。
【００９３】
この回転数の過不足を解消するため、本実施形態では、必要に応じてモータ１２２の回転力を、巻取／繰出機構１５およびレンズ部１４の双方に、あるいはいずれか一方に、選択的に伝達する。
【００９４】
Ｓ１では、モニタ目標繰出量に達するまで必要なモータギア１２２ｂの回転数であるモニタ繰出量ｎ１、およびレンズ目標繰出量に達するまで必要なモータギア１２２ｂの回転数であるレンズ部繰出量ｎ２を算出する。なお、モニタ目標繰出量やレンズ目標繰出量自体は規定値としてＥＥＰＲＯＭ１３３に記憶されており、例えば、モニタ繰出量ｎ１は通常画像のアスペクト比１．５に対応した繰出量、レンズ目標繰出量は撮影可能状態（ズームレンズをワイド端まで繰り出した状態）に対応する繰出量とする。
【００９５】
Ｓ２では、モニタ繰出量ｎ１とレンズ部繰出量ｎ２とを比較し、どちらが多いかを判断する。ｎ１＞ｎ２の場合はＳ３、ｎ１＜ｎ２の場合はＳ４、ｎ１＝ｎ２の場合はＳ５に移行する。
【００９６】
Ｓ３では、モニタ駆動モードを実行する。すなわち、伝達用ギア４１−１のみが噛合位置Ｐ１でモータギア１２２ｂと噛合する（図１０参照）。この状態でモータ１２２が回転し、モータギア１２２ｂの回転力がギア１５ｃに伝達され、モニタ６９がＸ２方向へ巻回されて本体１１から繰り出される。
【００９７】
Ｓ４では、レンズ駆動モードを実行する。すなわち、伝達用ギア４１−２のみが噛合位置Ｐ２でモータギア１２２ｂと噛合する（図１１参照）。この状態でモータ１２２が回転し、モータギア１２２ｂの回転力がギア１４ａに伝達され、レンズ部１４が本体１１から繰り出される。
【００９８】
Ｓ３およびＳ４の動作は、ｎ１＝ｎ２となるまで繰り返される。
【００９９】
Ｓ５では、モニタ・レンズ同時駆動モードを実行する。すなわち、伝達用ギア４１−１および４１−２の双方がそれぞれ噛合位置Ｐ１、Ｐ２でモータギア１２２ｂと噛合する（図１２参照）。この状態でモータ１２２が回転し、モータギア１２２ｂの回転力がギア１４ａに伝達され、レンズ部１４とモニタ６９の繰り出しが同時に行われる。
【０１００】
Ｓ６では、モータギア１２２ｂの累積回転数が目標繰出量に達したか否かを判断し、達していればＳ６へ移行し、達していなければ引き続きモータ１２２を回転させてレンズ部１４とモニタ６９の繰り出しを行う。
【０１０１】
Ｓ７では、レンズ駆動モードを実行する。すなわち、伝達用ギア４１−１とモータギア１２２ｂの噛合が解除され、伝達用ギア４１−２のみを噛合位置Ｐ２でモータギア１２２ｂと噛合させる（図１１参照）。
【０１０２】
Ｓ８では後述のレンズ部動作サブルーチンが実行される。このサブルーチンでは、十字キー操作に応じたレンズ部１４の出胴／沈胴を行う。
【０１０３】
Ｓ９では、モード切替スイッチ８４によって撮影モードの設定が解除されたか否かを定期的に判断し、設定が解除されたら、本処理を終了する。設定が解除されない限りＳ８に戻って十字キー操作に応じたレンズ部１４の出胴／沈胴を行う。
【０１０４】
このように、２つの機構を同時に駆動させることで生じる繰出量の差異を、予めモニタ駆動モードまたはレンズ部駆動モードを実行して解消する。こうすることで、２つの機構を同時に駆動させても動作量の過不足が生じず、２つの機構を迅速かつ正確に目標量に達するまで駆動することができる。
【０１０５】
図１８はレンズ部動作サブルーチンのフローチャートである。
【０１０６】
Ｓ１１では、十字キーの上キーでズームアップ又は下キーでズームダウンの操作が行われたか否かを判断する。当該操作が行われたと判断するとＳ１２に移行し、ＣＰＵ１１２は、当該操作に応じてモータドライバ１２０を制御し、モータ１２２を駆動させる。モータ１２２の回転動力は、動力伝達機構１４２を介してレンズ部１４に伝達され、レンズ部１４がカメラ本体１１内に沈胴し又はカメラ本体１１内から出胴することで、ズームレンズ１２がテレ方向又はワイド方向に移動して焦点距離が変更される。モータ１２２の回転は、十字キーの押下が継続する限り継続され、押下が解除されると回転も停止する。
【０１０７】
図１９はモード切替スイッチ８４によって再生モードが設定された場合の動作の流れの一例を示すフローチャートである。
【０１０８】
Ｓ２１では、再生モードの設定が指示されたか、および現在のレンズ部１４が本体１１から出胴しているか否かを判断し、再生モードの設定が指示されかつレンズ部１４が出胴していればレンズ部１４の収納のため駆動が必要と判断してＳ２２に移行する。
【０１０９】
Ｓ２２では、レンズ駆動モードに移行する。すなわち、４１−２が噛合位置Ｐ２でモータギア１２２ｂと噛合する（図１２参照）。
【０１１０】
Ｓ２３では、ＣＰＵ１１２は、モータドライバ１２０を制御し、レンズ部１４がカメラ本体１１内に完全に沈胴するのに必要な回転数だけモータ１２２を駆動させる。モータ１２２の回転動力は、動力伝達機構１４２を介してレンズ部１４に伝達され、レンズ部１４がカメラ本体１１内に沈胴して収納される。レンズ部１４の収納が完了次第Ｓ２４に移行する。
【０１１１】
Ｓ２４では、モニタ駆動モードに移行し、伝達用ギア４１−１のみが噛合位置Ｐ１でモータギア１２２ｂと噛合する（図１０参照）。
【０１１２】
Ｓ２５では後述のモニタ動作サブルーチンが実行される。このサブルーチンでは十字キー操作に応じたモニタ６９の繰り出し／収納を行う。
【０１１３】
Ｓ２６では、モード切替スイッチ８４によって再生モードの設定が解除されたか否かを定期的に判断し、設定が解除されたら、本処理を終了する。設定が解除されない限りＳ２５に戻って十字キー操作に応じたモニタ６９の繰り出し／収納を行う。
【０１１４】
図２０はモニタ動作サブルーチンの流れを示すフローチャートである。
【０１１５】
Ｓ３１では、十字キーの上キーで繰り出し指示又は下キーで巻取りの指示操作が行われたか否かを判断する。当該操作が行われたと判断するとＳ３２に移行し、ＣＰＵ１１２は、当該操作に応じてモータドライバ１２０を制御し、モータ１２２を駆動させる。モータ１２２の回転動力は、動力伝達機構１４２を介して巻取／繰出機構１５に伝達され、下キーの押下に応じてモニタ６９がカメラ本体１１内に巻き取られるか又は上キーの押下に応じてカメラ本体１１内から繰り出すことで、モニタ６９の表示面積が任意に変更される。モータ１２２の回転は、十字キーの押下が継続中は継続され、押下が解除されると回転も停止する。
【０１１６】
＜第２実施形態＞
撮影モード設定時の動作（図１７参照）に、十字キー操作に応じたモニタ６９繰り出し動作のサブルーチンを追加してもよい。すなわち、図２１に示すように、レンズ部動作サブルーチン（Ｓ８）の終了後、アスペクト比切替スイッチ８５の操作など何らかの設定操作によりモニタの動作を開始させる指示が行われたか否かを判断する（Ｓ４１）。モニタの動作を開始させる指示の入力があった場合はＳ４２、ない場合はＳ４４に移行する。
【０１１７】
Ｓ４２では、モニタ動作モードに切り替え、Ｓ４３では、モニタ動作サブルーチンを行う。ただし、ここでは、設定操作に応じた量（撮影画像の表示に必要なアスペクト比を確保する繰り出し量）に達するまでモニタ６９の繰り出し／収納を行う。
【０１１８】
Ｓ４４では、撮影モードの設定が解除されたか否かを判断する。解除されていなければＳ７に戻り、解除されれば処理を終了する。
【０１１９】
＜第３実施形態＞
第１実施形態では、撮影モード設定時、レンズ部１４、モニタ６９が目標量に達するまで自動的に繰り出されていた。しかし、ユーザ操作に応じて任意にレンズ部１４あるいはモニタ６９の駆動を行うようにし、それによっても目標量に達しなければ、自動的に繰り出しを行って繰出量が目標量に達するまで補完してもよい。
【０１２０】
図２２は第３実施形態に係る撮影モード設定時の動作を示すフローチャートである。
【０１２１】
Ｓ５１では、レンズ目標繰出量およびモニタ目標繰出量を決定する。
【０１２２】
Ｓ５２では、レンズ部１４の駆動を開始する旨の指示が操作部１５７から入力されたか否かを判断する。該指示が入力された場合はＳ５３へ移行し、入力されない場合（あるいは入力を行わない旨を明示する入力があった場合）はＳ５４へ移行する。
【０１２３】
Ｓ５３では、レンズ部駆動モードを動作させる。これによりモータギア１２２ａの回転力が伝達ギア４１−２を介してギア１４ａに伝達される状態となる。
【０１２４】
Ｓ５４では、レンズ部駆動モードを解除する。すなわち、ロッド４０−２ａを収縮させ、伝達ギア４１−２の噛合位置Ｐ２における噛合を解除する。ただし、すでに噛合が解除されていればその状態を維持すれば足りる。
【０１２５】
Ｓ５５では、モニタ６９の駆動を開始する旨の指示が操作部１５７から入力されたか否かを判断する。該指示が入力された場合はＳ５６へ移行し、入力されない場合（あるいは入力を行わない旨を明示する入力があった場合）はＳ５７へ移行する。
【０１２６】
Ｓ５６では、モニタ駆動モードを動作させる。これによりモータギア１２２ａの回転力が伝達ギア４１−１を介してギア１５ｃに伝達される状態となる。ただし、Ｓ５３ですでにレンズ部駆動モードが設定されている場合は、モニタ・レンズ部同時駆動モードを設定する。
【０１２７】
Ｓ５７では、非駆動モードを実行しモニタ駆動モードを解除する。すなわち、ロッド４０−１ａを収縮させ、伝達ギア４１−１の噛合位置Ｐ１における噛合を解除する。ただし、すでに噛合が解除されていればその状態を維持すれば足りる。
【０１２８】
Ｓ５８では、モータ１２２を回転させる。モータ１２２の回転数は、モニタ目標繰出量に達するまで必要な回転数ｎ１またはレンズ目標繰出量ｎ２に達するまで必要な回転数のうち少ない方ｎである。
【０１２９】
Ｓ５９では、回転数ｎでモータ１２２を回転させた後、回転数ｎによってもモニタ目標繰出量またはレンズ目標繰出量が達成されていないか、あるいはモニタ目標繰出量とレンズ目標繰出量のいずれも達成されたかを判断する。モニタ目標繰出量が達成されていな場合はＳ６０、レンズ目標繰出量が達成されていな場合はＳ６２、いずれも達成されていればＳ６４に移行する。
【０１３０】
Ｓ６０では、モニタ駆動モードを実行する。そして、Ｓ６１では、モニタ目標繰出量が達成されるまでモータ１２２を回転させる。
【０１３１】
Ｓ６２では、レンズ部駆動モードを実行する。そして、Ｓ６３では、レンズ目標繰出量が達成されるまでモータ１２２を回転させる。
【０１３２】
Ｓ６４では、レンズ部駆動モードを実行する。その後、撮影モード終了指示があるまでのレンズ部駆動サブルーチンを繰り返す（Ｓ６５、Ｓ６６）。
【０１３３】
＜第４実施形態＞
カメラ１０のシャットダウン時におけるモニタ６９およびレンズ部１４の収納を確実かつ迅速にするためには、以下のようにして動力伝達モードの切り替えを行うとよい。
【０１３４】
図２３はカメラ１０の終了時における動作の流れを示すフローチャートである。
【０１３５】
Ｓ６１では、電源スイッチ８２がオフに切り替えられたとき、モニタ６９の現在の繰出量ｍ１とレンズ部１４の現在の繰出量ｍ２とを取得する。
【０１３６】
Ｓ６２では、モニタ６９の現在の繰出量ｍ１が正であるか否かを判断する。ｍ１＞０の場合はＳ６３へ移行し、ｍ１＝０の場合はＳ６４へ移行する。
【０１３７】
Ｓ６３では、モニタ駆動モードを実行し、伝達用ギア４１−１のみが噛合位置Ｐ１でモータギア１２２ｂと噛合する（図１０参照）。
【０１３８】
Ｓ６４では、レンズ部駆動モードを解除する。すなわち、ロッド４０−２ａを収縮させ、伝達ギア４１−１の噛合位置Ｐ１における噛合を解除する。ただし、すでに噛合が解除されていればその状態を維持すれば足りる。
【０１３９】
Ｓ６５では、レンズ部１４の現在の繰出量ｍ２が正であるか否かを判断する。ｍ２＞０の場合はＳ６３へ移行し、ｍ２＝０の場合はＳ６４へ移行する。
【０１４０】
Ｓ６６では、レンズ部駆動モードを動作させる。これによりモータギア１２２ａの回転力が伝達ギア４１−２を介してギア１４ａに伝達される状態となる。ただし、すでにＳ６３でモニタ駆動モードが実行されてモータギア１２２ａが伝達用ギア４１−１と噛合している場合は、モニタ・レンズ同時駆動モードを実行し、モータギア１２２ａが伝達用ギア４１−１および４１−２のいずれとも噛合する。
【０１４１】
Ｓ６７では、レンズ部駆動モードを解除する。すなわち、ロッド４０−２ａを収縮させ、伝達ギア４１−２の噛合位置Ｐ２における噛合を解除する。ただし、すでに噛合が解除されていればその状態を維持すれば足りる。
【０１４２】
Ｓ６８では、繰出量ｍ１、ｍ２のうちいずれか小さい量だけモータを回転させ、レンズ部１４および／またはモニタ６９を収納する。そして、上記の回転量による回転で収納が完了したのがレンズ部１４か、あるいはモニタ６９であるかを判断する。レンズ部１４の収納が完了していればＳ６９、モニタ６９の収納が完了していればＳ７０へ移行する。
【０１４３】
Ｓ６９では、レンズ部駆動モードを解除する。すなわち、ロッド４０−２ａを収縮させ、伝達ギア４１−２の噛合位置Ｐ２における噛合を解除する。ただし、すでに噛合が解除されていればその状態を維持すれば足りる。
【０１４４】
Ｓ７０では、モニタ駆動モードを解除する。すなわち、ロッド４０−１ａを収縮させ、伝達ギア４１−１の噛合位置Ｐ１における噛合を解除する。ただし、すでに噛合が解除されていればその状態を維持すれば足りる。
【０１４５】
Ｓ７１では、モニタ６９またはレンズ部１４が完全に収納されるまでモータ１２２を回転させる。
【０１４６】
このように、モニタ６９とレンズ部１４の収納を同時に行い、収納に至らない機構に対して、選択的・追加的に回転を加え、両機構を迅速かつ完全に収納できる。
【０１４７】
＜第５実施形態＞
カメラ１０のシャットダウン時におけるモニタ６９およびレンズ部１４の収納を確実かつ迅速にするためには、以下のようにしてもよい。
【０１４８】
Ｓ７１では、モニタ６９の本体内１１への収納に必要なモータギア１２２の回転数であるモニタ収納量ｍ１およびレンズ部１４の本体内１１への収納に必要なモータギア１２２の回転数であるレンズ部収納量ｍ２を算出する。
【０１４９】
Ｓ７２では、モニタ収納量ｍ１とレンズ部収納量ｍ２を比較し、どちらが多いかを判断する。ｍ１＞ｍ２の場合はＳ７３、ｍ１＜ｍ２の場合はＳ７４、ｍ１＝ｍ２の場合はＳ７５に移行する。
【０１５０】
Ｓ７３では、モニタ駆動モードに移行し、伝達用ギア４１−１のみが噛合位置Ｐ１でモータギア１２２ｂと噛合する（図１０参照）。この状態でモニタ収納量ｍ１だけモータ１２２を回転させ、モータギア１２２ｂの回転力がギア１５ｃに伝達され、モニタ６９がＸ１またはＸ２方向へ巻回されて本体１１内部に収納される。
【０１５１】
Ｓ７４では、レンズ駆動モードに移行する。すなわち、伝達用ギア４１−２のみが噛合位置Ｐ２でモータギア１２２ｂと噛合する（図１１参照）。かつこの状態でモニタ収納量ｍ２だけモータ１２２が回転し、モータギア１２２ｂの回転力がギア１４ａに伝達され、レンズ部１４が本体１１に収納される。
【０１５２】
Ｓ７５では、レンズ駆動モードに移行する。すなわち、伝達用ギア４１−１および４１−２がそれぞれ噛合位置Ｐ１、Ｐ２でモータギア１２２ｂと噛合する（図１２参照）。この状態でモニタ収納量ｍ１ないしｍ２だけモータ１２２が回転し、モータギア１２２ｂの回転力がギア１４ａに伝達され、レンズ部１４とモニタ６９の収納が同時に行われる。
【０１５３】
Ｓ７６では、モータギア１２２ｂの累積回転数がレンズ目標繰出量およびモニタ目標繰出量に達したか否かを判断し、達していれば処理を終了し、達していなければ引き続きモータ１２２を回転させてレンズ部１４とモニタ６９の収納を行う。
【０１５４】
このように、２つの機構のうちまず収納量の大きい機構に選択的に回転力を伝達しておき、その結果２つの機構の収納量が同じになれば両者に回転力を伝達し、同時に同回転量を伝達することで素早く収納を完了できる。
【０１５５】
＜第６実施形態＞
モニタ６９の撓みを除去する支持体をモニタ６９に貼り付けてもよい。例えば、図２５に示すように、モニタ６９の表示面の裏面全体に渡って薄板状の第２の支持体６６を張り付ける。この第２の支持体６６は、鋼板・ステンレス鋼板等の硬質金属で形成した、復元力に富んだ薄板である。第２の支持体６６は、モニタ６９とともに巻取／繰出機構１５に巻き取られるが、この巻き取り前の無負荷状態においては、繰り出し方向Ｙ１に直交する断面が復元力により湾曲状に反り、長軸方向即ちモニタ６９の繰り出し方向Ｙ１に直線化しようとする。これにより、第２の支持体６６に張り付けられたモニタ６９は、繰り出し方向Ｙ１に引っ張られ、撓みが除去される。
【０１５６】
第２の支持体６６の反る方向は特に限定されず、図２５のようにモニタ６９の表示面が内側に反るように構成してもよいし、図２６のようにモニタ６９の表示面が外側に反るように構成してもよい。
【０１５７】
なお、第２の支持体６６は弾性を有するため、モニタ６９とともに巻取／繰出機構１５に重ねて巻き取られると、自己反発力に逆らって断面は直線状となり、巻き尺状に容易に巻回される。
【図面の簡単な説明】
【０１５８】
【図１】本発明の好ましい実施形態に係るデジタルカメラの背面側斜視図
【図２】モニタがカメラ本体に収納された状態の背面側斜視図
【図３】巻取／繰出機構の斜視図
【図４】モニタの斜視図
【図５】モニタが巻取／繰出機構に巻き取られた状態の斜視図
【図６】モニタが巻き取られて収納された状態を示すデジタルカメラの断面図
【図７】モニタが撓んで収納された状態を示すデジタルカメラの断面図
【図８】デジタルカメラのブロック図
【図９】動力伝達機構の一例を示す図
【図１０】第１の噛合位置（モニタ駆動モード）を示す図
【図１１】第２の噛合位置（レンズ部駆動モード）を示す図
【図１２】第１および第２の噛合位置（モニタ・レンズ同時駆動モード）を示す図
【図１３】ＣＰＵの動作モードとロッドの収縮／伸張の関係を示す図
【図１４】動力伝達機構の他の一例を示す図
【図１５】第１の噛合位置を示す図
【図１６】第２の噛合位置を示す図
【図１７】第１実施形態に係る撮影モード開始時動作の流れを示すフローチャート
【図１８】レンズ部動作サブルーチンのフローチャート
【図１９】第１実施形態に係る再生モード開始時動作の流れを示すフローチャート
【図２０】モニタ動作サブルーチンのフローチャート
【図２１】第２実施形態に係る撮影モード開始時動作の流れを示すフローチャート
【図２２】第３実施形態に係る撮影モード開始時動作の流れを示すフローチャート
【図２３】第４実施形態に係る終了時動作の流れを示すフローチャート
【図２４】第５実施形態に係る終了時動作の流れを示すフローチャート
【図２５】表示面が凹状に反るように構成された第２の支持体の断面図
【図２６】表示面が凸状に反るように構成された第２の支持体の断面図
【符号の説明】
【０１５９】
１０：デジタルカメラ、１１：カメラ本体、１４：レンズ部、１５：巻取／繰出機構、６９：モニタ、８０：シャッターボタン、８２：電源スイッチ、８４：モード切替スイッチ、８５：アスペクト比切替スイッチ、１２０：モータドライバ、１２２：モータ、１４２：動力伝達機構
【図１】
2006270915.tif 000003
【図２】
2006270915.tif 000004
【図３】
2006270915.tif 000005
【図４】
2006270915.tif 000006
【図５】
2006270915.tif 000007
【図６】
2006270915.tif 000008
【図７】
2006270915.tif 000009
【図８】
2006270915.tif 000010
【図９】
2006270915.tif 000011
【図１０】
2006270915.tif 000012
【図１１】
2006270915.tif 000013
【図１２】
2006270915.tif 000014
【図１３】
2006270915.tif 000015
【図１４】
2006270915.tif 000016
【図１５】
2006270915.tif 000017
【図１６】
2006270915.tif 000018
【図１７】
2006270915.tif 000019
【図１８】
2006270915.tif 000020
【図１９】
2006270915.tif 000021
【図２０】
2006270915.tif 000022
【図２１】
2006270915.tif 000023
【図２２】
2006270915.tif 000024
【図２３】
2006270915.tif 000025
【図２４】
2006270915.tif 000026
【図２５】
2006270915.tif 000027
【図２６】
2006270915.tif 000028